(57)【要約】【課題】透明なカバープレートをケース体に組み付ける際に発生する樹脂片がケース体内を散乱してしまうことによる品質低下を防止した表示装置を提供する。【解決手段】表示パネル１０と、カバープレート２０と、カバープレート２０の外周に設けられたケース体３０と、ケース体３０を覆い、表示パネル１０を視認可能に開口した開口部７０ａを有した見返し部材７０と、を備え、表示パネル１０は、透光性接着剤１５にてカバープレート２０に接着され、カバープレート２０は、その裏面に縁取部２１を備えている表示装置であって、ケース体３０は、カバープレート２０の周縁が載置される載置部３３を備え、側壁面Ｕは、ケース体３０の内側に突出すると共に、側壁面Ｕの奥行方向に沿った突起部３１を有し、載置面Ｔは、突起部３１の周辺が開口した凹部３２を有する。【選択図】図１
2016102826.tif 000002
【特許請求の範囲】
【請求項１】
画像を表示する表示パネルと、
前記画像を透視可能であるカバープレートと、
前記カバープレートの外周に設けられたケース体と、
前記ケース体を覆い、前記表示パネルを視認可能に開口した開口部を有した見返し部材と、を備え、
前記表示パネルは、透光性接着剤にて前記カバープレートに接着され、
前記カバープレートは、その裏面に遮光部を備え、
前記遮光部は、正面視で前記開口部よりも前記ケース体側に位置するように形成されている表示装置であって、
前記ケース体は、前記カバープレートの周縁が載置される載置部を備え、
前記載置部は、前記カバープレートの底面が載置される載置面と、前記カバープレートの端部を囲う側壁部とを有し、
前記側壁部は、前記ケース体の内側に突出すると共に、前記側壁部の奥行方向に沿った突起部を有し、
前記載置面は、前記突起部の周辺が開口した凹部を有し、
前記凹部は、前記カバープレートを前記載置部に載置する際に削れた前記突起部を収容することを特徴とする表示装置。
【請求項２】
前記凹部は、前記載置面に載置された前記カバープレートによって塞がれることを特徴とする請求項１に記載の表示装置。
【発明の詳細な説明】
【技術分野】
【０００１】
本発明は、画像を表示する表示パネルを備えた表示装置に関するものである。
【背景技術】
【０００２】
従来の表示装置として、例えば特許文献１に開示されたものがある。斯かる表示装置は、カバープレートと液晶表示器とをＵＶ硬化型接着剤で接着させた構造になっている。これにより、カバープレートと液晶表示器との間がＵＶ硬化型接着剤で満たされ、従来存在した空気層との界面での反射が減少して視認性が向上する。
【先行技術文献】
【特許文献】
【０００３】
【特許文献１】特開平１０−０４８５９９号公報
【発明の開示】
【発明が解決しようとする課題】
【０００４】
しかしながら、特許文献１記載の表示装置は、カバープレートとして無機ガラスが用いられ、このカバープレートと液晶表示器との間のＵＶ硬化型接着剤による密着性を確保するものである。また、カバープレートと液晶表示器との間には、液晶表示器の視認可能領域を区画するための縁取部を配置するが、カバープレートの視認者側に配置される見返し部との正確な位置合わせが困難になるという問題点があった。そこで、枠状に形成されたケース体とカバープレートの周縁部との隙間をできるだけ小さくして、ケース体から縁取部の端部までの距離を一定にする構造が考えられるが、使用するカバープレートの寸法のバラツキにより、無機ガラスであるカバープレートの端部によってケース体が削られてしまい、樹脂片がケース体内を散乱してしまう虞があった。
【０００５】
そこで、本発明は、前述した問題点に着目し、カバープレートとケース体の周縁部との隙間がほとんどない表示装置であっても、カバープレートをケース体に組み付ける際に発生する樹脂片がケース体内を散乱してしまうことによる品質低下を防止した表示装置を提供することを目的とする。
【課題を解決するための手段】
【０００６】
本発明は、画像を表示する表示パネルと、前記画像を透視可能であるカバープレートと、前記カバープレートの外周に設けられたケース体と、前記ケース体を覆い、前記表示パネルを視認可能に開口した開口部を有した見返し部材と、を備え、前記表示パネルは、透光性接着剤にて前記カバープレートに接着され、前記カバープレートは、その裏面に遮光部を備え、前記遮光部は、正面視で前記開口部よりも前記ケース体側に位置するように形成されている表示装置であって、前記ケース体は、前記カバープレートの周縁が載置される載置部を備え、前記載置部は、前記カバープレートの底面が載置される載置面と、前記カバープレートの端部を囲う側壁部とを有し、前記側壁部は、前記ケース体の内側に突出すると共に、前記側壁部の奥行方向に沿った突起部を有し、前記載置面は、前記突起部の周辺が開口した凹部を有し、前記凹部は、前記カバープレートを前記載置部に載置する際に削れた前記突起部を収容するものである。
【０００７】
前記凹部は、前記載置面に載置された前記カバープレートによって塞がれるものである。ことにより、削られた樹脂片を凹部に留めておくことができるので、樹脂片がケース体内を散乱してしまうことによる品質低下を防ぐことができる。
【発明の効果】
【０００８】
本発明によれば、カバープレートをケース体に組み付ける際に発生する樹脂片がケース体内を散乱してしまうことによる品質低下を防止することができる。
【図面の簡単な説明】
【０００９】
【図１】本発明の実施形態による表示装置の表示パネルを固定した状態を示す正面図。
【図２】図１のＡ−Ａ断面図。
【図３】同実施形態による表示装置のケース体の要部斜視図。
【図４】図１のＢ拡大図。
【発明を実施するための形態】
【００１０】
以下、添付図面図１乃至図４に基づいて、本発明の一実施形態を説明する。
【００１１】
表示装置１は、表示パネル１０、カバープレート２０、ケース体３０、回路基板４０、蓋体５０、中ケース６０、見返し部材７０を備えている。表示パネル１０は、ＴＦＴ型カラー液晶モジュールからなるものであり、車両速度等の車両情報を表示する。表示パネル１０は、マルチドットやセグメントタイプのものであっても良く、単色表示やフルカラー表示は問わない。また、表示パネル１０は、ＥＬモジュールであっても良い。表示パネル１０は、透光性接着剤１５にてオプティカルボンディングされており、カバープレート２０の後面に密着されている。透光性接着剤１５は、ＵＶ硬化型の接着剤である。
【００１２】
カバープレート２０は平板形状の透明な無機ガラスからなるものであり、正面視で矩形になっている。カバープレート２０は、その裏面に遮光性を有した印刷等によって設けられた縁取部（遮光部）２１を有し、この縁取部２１によって縁取られる矩形の窓部２１ａを有している。また、縁取部２１は、正面視で後述する見返し部材７０の開口部７０ａよりも距離Ｓだけケース体３０側に離れて位置されている。
【００１３】
ケース体３０は、ＡＥＳ等の硬質樹脂材からなるものであり、図２に示すように、カバープレート２０の外周を覆っている。ケース体３０には、矩形の開口部３０ａが形成され、ケース体３０内の空間には、表示パネル１０，回路基板４０及び中ケース６０が収容されている。
【００１４】
回路基板４０は、ガラスエポキシ樹脂からなる基材に銅箔からなる配線パターンを形成したものである。蓋体５０は、ＡＥＳやＰＰ等の樹脂からなるものである。蓋体５０は、ビス５１によってケース体３０の後面に固定されている。中ケース６０は、不透明な樹脂（ＰＰ等）からなるものであり、この中ケース６０の後面側に回路基板４０が配置されている。
【００１５】
見返し部材７０は、ＡＥＳ等の樹脂からなる硬質樹脂材からなるものであり、図２に示すように、カバープレート２０の前面を覆っている。見返し部材７０には、矩形の開口部７０ａが形成され、視認可能な領域を区画すると共に、縁取部２１を覆う。見返し部材７０の開口部７０ａは、正面からみたときに、縁取部２１の窓部２１ａを覆うように形成されている。また、縁取部２１の外側端部から内側端部（窓部２１ａ）までが見返し部材７０によって覆われている。
【００１６】
ケース体３０は、その内側に突出すると共に、側壁面Ｕの奥行方向に沿って一体成形された突起部３１を有している。ケース体３０は、側壁面Ｕと載置面Ｔとからなる載置部３３を有し、カバープレート２０の裏面端部が載置部３３の載置面Ｔと当接し、端部側壁が側壁面Ｕと当接するか、もしくは若干の隙間を有した状態で収容されることで、固定保持される。また、図３に示すように、ケース体３０の載置面Ｔは、突起部３１の周辺が開口した凹部３２を有している。
【００１７】
突起部３１は、側壁面Ｕに形成された例えば半円状の突起であって、側壁面Ｕの上端から凹部３２の底面までの奥行方向に形成されている。
【００１８】
カバープレート２０の端部は、突起部３１を削りながら載置部３３に収容される。収容される方向は、予めひとつの端部を収容しながら、その収容箇所を軸にして、対向するもう一方の端部を奥行方向に押し下げるようにして組み付けが可能である。また、表示パネル１０がオプティカルボンディングされたカバープレート２０を平行に保ちながらケース体３０に配置し、その周縁を押し下げるようにしても組み付け可能である。
【００１９】
凹部３２は、突起部３１の周辺に形成された凹部であって、図４に示すように、カバープレート２０を組み付ける際に、突起部３１が削られて生じる樹脂片４０ａが落ちるようになっている。
【００２０】
このように、本実施形態では、画像を表示する表示パネル１０と、画像を透視可能であるカバープレート２０と、カバープレート２０の外周に設けられたケース体３０と、
ケース体３０を覆い、表示パネル１０を視認可能に開口した開口部７０ａを有した見返し部材７０と、を備え、表示パネル１０は、透光性接着剤１５にてカバープレート２０に接着され、カバープレート２０は、その裏面に縁取部２１を備え、縁取部２１は、正面視で開口部７０ａよりもケース体３０側に位置するように形成されている表示装置１であって、ケース体３０は、カバープレート２０の周縁が載置される載置部３３を備え、載置部３３は、カバープレート２０の底面が載置される載置面Ｔと、カバープレート２０の端部を囲う側壁面Ｕとを有し、側壁面Ｕは、ケース体３０の内側に突出すると共に、側壁面Ｕの奥行方向に沿った突起部３１を有し、載置面Ｔは、突起部３１の周辺が開口した凹部３２を有し、凹部３２は、カバープレート２０を載置部３３に載置する際に削れた突起部３１を収容することによって、カバープレート２０をケース体３０に組み付ける際に発生する樹脂片４０ａが凹部３２に落ちて収容されるので、樹脂片４０ａがケース体３０内を散乱してしまうことによる品質低下を防ぐことができる。
【００２１】
また、本実施形態では、凹部３２は、載置面Ｔに載置されたカバープレート２０の底面によって塞がれることによって、削られた樹脂片４０ａを凹部３２に留めておくことができるので、樹脂片４０ａがケース体３０内を散乱してしまうことによる品質低下を防ぐことができる。
【００２２】
なお、本実施形態では、カバープレート２０が無機ガラスの矩形である一例を説明したが、カバープレート２０は表示パネル１０の視認性を確保できるものであれば、その材料や形状はこれに限定されず、適宜変更可能である。
【符号の説明】
【００２３】
１      表示装置
１０    表示パネル
１５    透光性接着剤
２０    カバープレート
２１    縁取部（遮光部）
２１ａ  窓部
Ｔ      載置面
Ｕ      側壁面
２５  フィルム
３０  ケース体
３１    突起部
３２    凹部
３３    載置部
７０    見返し部材
７０ａ  開口部
【図１】
2016102826.tif 000003
【図２】
2016102826.tif 000004
【図３】
2016102826.tif 000005
【図４】
2016102826.tif 000006